(57)【要約】【解決手段】廃プラスチックを破砕装置で破砕して破砕廃プラスチックとする工程と、この破砕廃プラスチックを圧縮装置で圧縮する工程と、圧縮した破砕廃プラスチックを整粒装置で整粒して整粒ペレットにする整粒する工程と、この整粒ペレットを成形機で所定の形状に成形することで樹脂固形物を得る工程と、から構成した。【効果】破砕廃プラスチックを圧縮装置で圧縮する工程と、圧縮した破砕廃プラスチックを整粒装置で整粒して整粒ペレットにする整粒する工程と、を備えたので、全体にわたり密度の均一な樹脂固形物を得ることができる。この結果、樹脂固形物の耐久性の向上を図ることができる。また、表面状態も凹凸の少ない平滑な面を得ることができるので、仕上げのための処理を省くことができる。この結果、樹脂固形物のコストの低減を図ることができる。【選択図】　　　　図１
2004042612.tif 000002
【特許請求の範囲】
【請求項１】
廃プラスチックを破砕装置で破砕して破砕廃プラスチックとする工程と、
この廃破砕プラスチックを圧縮装置で圧縮する工程と、圧縮した破砕廃プラスチックを整粒装置で整粒して整粒ペレットにする整粒する工程と、
この整粒ペレットを成形機で所定の形状に成形することで樹脂固形物を得る工程と、
からなることを特徴とする樹脂固形物の製造方法。
【請求項２】
前記成形機は、圧縮成形機若しくは押出し成形機であることを特徴とする請求項１記載の樹脂固形物の製造方法。
【請求項３】
前記樹脂固形物は、開渠の蓋、路面材、棒状部材若しくは板状部材であることを特徴とする請求項１記載の樹脂固形物の製造方法。
【発明の詳細な説明】
【０００１】
【発明の属する技術分野】
本発明は、廃プラスチックを利用して製造する開渠の蓋又は路面材などを含む樹脂固形物の製造方法に関する。
【０００２】
【従来の技術】
図１３は従来の樹脂固形物の製造方法を示すフロー図であり、開渠の蓋又は路面材などの樹脂固形物の製造方法の一例を示す。なお、ＳＴ×××はステップ番号を示す。
ＳＴ１０１：（破砕工程）廃プラスチック１０１を破砕する。
ＳＴ１０２：（圧縮・成型工程）破砕した廃プラスチック１０１を破砕することで形成した破砕廃プラスチック１０２を所定の形状にすることで、開渠の蓋又は路面材などの樹脂固形物１００の半製品１０５を製造する。
ＳＴ１０３：（仕上げ工程）半製品１０５の周りをバージン材若しくは再生材などの樹脂で覆うことで外装部１０６を形成し外観を整える。
【０００３】
【発明が解決しようとする課題】
しかし、上記の樹脂固形物の製造方法では、廃プラスチック１０１を破砕するときに、破砕廃プラスチック１０２の大きさがばらつきを含むことから、圧縮・成形工程で所定の半製品１０５にしたときに、密度の高い部分と密度の低い部分が混在することのなるので、使用したときに割れが生ずる懸念がある。
また、上記の樹脂固形物の製造方法では、半製品１０５を仕上げるために、半製品１０５の周りをバージン材樹脂若しくは再生材樹脂などの外装部１０６で覆うことが必要であり、製造コストも嵩む。
すなわち、内部構造が均一に製造することができ、仕上げを施さなくても使用することのできる樹脂固形物の製造方法が望まれる。
【０００４】
本発明の目的は、内部構造を均一に製造することができ、成形すればその状態でも十分に使用に絶えうる樹脂固形物を製造する技術を提供することにある。
【０００５】
【課題を解決するための手段】
上記目的を解決するために請求項１の樹脂固形物の製造方法は、廃プラスチックを破砕装置で破砕して破砕廃プラスチックとする工程と、この破砕廃プラスチックを圧縮装置で圧縮する工程と、圧縮した破砕廃プラスチックを整粒装置で整粒して整粒ペレットにする整粒する工程と、この整粒ペレットを成形機で所定の形状に成形することで樹脂固形物を得る工程と、からなることを特徴とする。
【０００６】
すなわち、廃プラスチックを破砕し、破砕廃プラスチックを圧縮し、圧縮した破砕廃プラスチックを整粒して整粒ペレットにし、この整粒ペレットを所定の形状に成形して樹脂固形物にする。
破砕廃プラスチックを圧縮装置で圧縮する工程と、圧縮した破砕廃プラスチックを整粒装置で整粒して整粒ペレットにする整粒する工程を設けることで、全体にわたり密度の均一な樹脂固形物を得ることができる。この結果、樹脂固形物の耐久性の向上を図ることができる。
また、表面状態も凹凸の少ない平滑な面を得ることができるので、仕上げのための処理を省くことができる。この結果、樹脂固形物のコストの低減を図ることができる。
【０００７】
請求項２は、成形機が圧縮成形機若しくは押出し成形機であることを特徴とする。
例えば、圧縮成形機はブロック状の樹脂固形物を得るのに最適な成形機であり、押出し成形機は棒状の樹脂固形物や板状の樹脂固形物を得るのに最適な成形機であることが知られる。従って、成形機に圧縮成形機若しくは押出し成形機を用いることで、多種類の形状の樹脂固形物を得ることができる。
【０００８】
請求項３は、樹脂固形物が開渠の蓋、路面材、棒状部材若しくは板状部材であることを特徴とする。
開渠の蓋、路面材、棒状部材若しくは板状部材は、密度が均一であり、表面状態も凹凸が少ないことが好ましい。従って、樹脂固形物を、具体的には開渠の蓋、路面材、棒状部材若しくは板状部材とすることで、耐久性が高く、安価な製品を提供することができる。
【０００９】
【発明の実施の形態】
本発明の実施の形態を添付図に基づいて以下に説明する。
図１は本発明に係る樹脂固形物の製造方法を示すフロー図である。なお、ＳＴ××はステップ番号を示す。
ＳＴ０１：（破砕工程）廃プラスチックを破砕することで破砕廃プラスチックにする。
【００１０】
ＳＴ０２：（圧縮工程）破砕廃プラスチックを圧縮する。破砕廃プラスチックが軟化するまで圧縮する。破砕廃プラスチックは高圧で圧縮すると、摩擦熱が発生し、この熱で軟化し粘性がでる。なお、破砕廃プラスチックの軟化を促進するために加熱をしてもよい。
【００１１】
ＳＴ０３：（整粒工程）圧縮した破砕廃プラスチックを整粒して一辺若しくは径が８〜５０ｍｍの整粒ペレットにする。整粒ペレットの大きさが８ｍｍ未満にするとコストが嵩む。整粒ペレットの大きさが５０ｍｍを超えると、成形したときに樹脂固形物の密度の低下を招く。の大きさを一辺若しくは径が８〜５０ｍｍのピースにすることで、樹脂固形物の製造コストと製造品質とのバランスをとる。
また、後述するように、ダイ孔を通じて圧縮した破砕廃プラスチックを押出すときに、ダイ孔の押出し抵抗により大きな摩擦熱が発生する。
【００１２】
整粒工程で得られる整粒ペレットは、一般的に、ＲＰＦ（リフュズペーパ・プラスチック・フューエル）と呼ばれる固形物であり、廃プラスチックに再生紙として利用できない古紙を混ぜることもある。また、ＲＰＦは、ボイラなどで使用する固形燃料としての用途が大半であるが、破砕プラスチックに比較して密度の高い物質であることから、後述するＳＴ０４に示すように樹脂固形物の成形材料として利用すると有利である。
【００１３】
ＳＴ０４：（成形工程）整粒ペレットを成型機に投入し、この成型機で所定の形状に成形することで樹脂固形物を得る。この成型工程は、具体的には圧縮成形工程であり、成形機に圧縮成形機を使用する。
マテリアルリサイクルの観点からみれば、先に説明したＲＰＦは、再度のリサイクルも可能な材料であり、ＲＰＦで成形した樹脂固形物は何度でも再利用可能な素材である。
先に説明したＲＰＦを成形材料とした樹脂固形物は、図１で示す工程を経て何度かマテリアルリサイクルが可能であるが、最終的には整流ペレットの状態でボイラーなどで使用する固形燃料としてサーマルリサイクルすることで循環利用を完結することができる。
【００１４】
樹脂固形物の製造方法は、廃プラスチックを破砕装置で破砕して破砕廃プラスチックとする工程と、この破砕廃プラスチックを圧縮装置で圧縮する工程と、圧縮した破砕廃プラスチックを整粒装置で整粒して整粒ペレットにする整粒する工程と、この整粒ペレットを成形機で所定の形状に成形することで樹脂固形物を得る工程と、からなると言える。
【００１５】
すなわち、廃プラスチックを破砕し、破砕廃プラスチックを圧縮し、圧縮した破砕廃プラスチックを整粒して整粒ペレットにし、この整粒ペレットを所定の形状に成形して樹脂固形物にする。
破砕廃プラスチックを圧縮装置で圧縮する工程と、圧縮した破砕廃プラスチックを整粒装置で整粒して整粒ペレットにする整粒する工程を設けることで、全体にわたり密度の均一な樹脂固形物を得ることができる。この結果、樹脂固形物の耐久性の向上を図ることができる。
また、表面状態も凹凸の少ない平滑な面を得ることができるので、仕上げのための処理を省くことができる。この結果、樹脂固形物のコストの低減を図ることができる。
【００１６】
例えば、本発明に係る樹脂固形物の製造方法を用いて、開渠の蓋又は路面材を製造する。
樹脂固形物は、開渠の蓋又は路面材は、密度が均一であり、表面状態も凹凸が少ないことが好ましい。従って、樹脂固形物を、具体的には開渠の蓋又は路面材とすることで、耐久性が高く、安価な製品を提供することができる。次図で、樹脂固形物の具体例を説明する。
【００１７】
図２（ａ）〜（ｅ）は本発明に係る樹脂固形物の製造方法を用いて製造するのに好適な樹脂固形物の斜視図であり、樹脂固形物の具体例を示す。
（ａ）において、樹脂固形物としての開渠の蓋２０を示し、開渠の蓋２０を、本発明の樹脂固形物の製造方法にて製造することで、全体にわたり密度の均一な開渠の蓋２０を得ることができる。また、表面状態も凹凸の少ない平滑な面の開渠の蓋２０にすることができるので、そのままの状態で使用することができる。なお、２６は開渠の一例であるＵ字溝を示す。
【００１８】
（ｂ）において、樹脂固形物としての路面材２１を示し、路面材２１は、一般の歩道や公園の遊歩道などに使用する部材であり、繰返し人が歩くことで摩耗することが考えられる。そこで、路面材２１は、全体にわたり密度が均一であることが好ましい。すなわち、路面材２１を、本発明の樹脂固形物の製造方法にて製造するのに好適な部材であると言える。
【００１９】
（ｃ）において、樹脂固形物としての敷石２２を示し、敷石２２は、庭園の飛び石に使用したり、幼児の遊ぶ公園などに使用することも多い。そこで、敷石２２に色々な色調を求められることもある。敷石２２を、本発明の樹脂固形物の製造方法にて製造することで、緻密な表面を得ることができ、例えば、敷石２２に塗装を施すことも容易である。
【００２０】
（ｄ）において、樹脂固形物としての段差スロープ２３を示し、段差スロープ２３は、例えば、道路から駐車スペースが一段高い場合に設置するのと、車庫入れが容易にできる都合のよい部材である。そこで、車両重量に負けない所定の強度が必要となる。なお、２７は段差のある部位を示す。
本発明に係る樹脂固形物の製造方法にて製造した段差スロープ２３は、全体にわたり均一なので、所定の剛性を確保できる。
【００２１】
（ｅ）において、樹脂固形物としてのブロック材２４を示し、ブロック材２４は、花壇の囲いやテラスの素材として用いることも多く、吸水性を求められることもあり、本発明に係る樹脂固形物の製造方法にて製造するとよい。すなわち、図１に示す圧縮工程で破砕廃プラスチックに、例えば、古紙などを混ぜることで吸水性のあるブロック材２４を作ることができる。
【００２２】
図３は本発明に係る樹脂固形物の製造に好適な破砕装置の原理図であり、破砕装置３０は、上から投入した廃プラスチック１１を、固定刃３２と回転刃３３とで切断し、１０〜５０ｍｍの目のスクリーン３４を通じて落下させる装置である。スクリーン３４を替えることで破砕廃プラスチック１２の大きさを変更することができる。３５はプッシャであり、回転刃３３の回転速度に応じて廃プラスチック１１を押出す作用をなす。３６は排出コンベヤである。
この破砕装置３０で廃プラスチックを１０〜５０ｍｍの破砕廃プラスチック１２にすることができる。なお、破砕装置３０の構成は一例を示すものであり、１０〜５０ｍｍの破砕廃プラスチック１２が得られれば他の構造ものでも差支えない。
【００２３】
図４は本発明に係る樹脂固形物の製造に好適な圧縮・整粒装置の原理図であり、圧縮装置及び整粒装置としての圧縮・整粒装置４０は、破砕廃プラスチック１２を回転ドラム状のダイ４１に投入する投入ダクト４２と、ダイ４１を支えるとともに回転させるローラ４３，４４と、ダイ４１に開けた多数のダイ孔４５・・・（・・・は複数個を示す。以下同様。）と、ダイ４１の外周面に沿って配置したカッタ４６と、ケーシング４７とからなり、投入ダクト４２を通じてダイ４１に投入した破砕廃プラスチック１２はローラ４３，４４で強く押された結果、ダイ孔４５・・・に進入する。その後にカッタ４６で切断することで整粒ペレット１４・・・になる。この作用は分かりにくいので次図で詳しく説明する。
【００２４】
図５は本発明に係る樹脂固形物の製造に好適な圧縮・整粒装置の作用原理図であり、便宜上、円筒形状のダイ４１は展開して平板形状にした。
ダイ孔４５には前の圧縮廃プラスチック１２Ａが入っており、そこへローラ４３で別の圧縮廃プラスチック１２Ａを押し込むと、「ところてん」のようにダイ４１の厚さに相当するだけダイ４１から圧縮廃プラスチック１２Ａが食み出す。そこで、この食み出した圧縮廃プラスチック１２Ａをカッタ４６で切断すれば、一定の径で、一定の長さの整粒ペレット１４を切出すことができる。
【００２５】
図６は本発明に係る樹脂固形物の製造に好適な成形機の原理図であり、成形機としての圧縮成形機５０は、整粒ペレット１４を投入する雌型５１と、この雌型５１に投入した整粒ペレット１４を押圧する雄型５２と、から構成する成形機である。
雌型５１は、整粒ペレット１４を投入するための凹部５３と、この凹部５３に投入した整粒ペレット１４を加熱するヒータ５４を備え、雄型５２は、整粒ペレット１４を押圧するためのロッド５５を備える。
【００２６】
以上に述べた開渠の蓋（樹脂固形物）２０の作用を次に説明する。
図７（ａ）〜（ｃ）は本発明に係る樹脂固形物の作用説明図であり、（ａ）は比較例を示し、（ｂ）は実施例を示す。
（ａ）において、比較例の樹脂固形物１００は、廃プラスチック１０１を破砕するときに、破砕廃プラスチック１０２の大きさがばらつきを含むことから、圧縮・成形工程で所定の半製品１０５にしたときに、密度の高い部分と密度の低い部分が混在することのなるので、使用したときに割れが生ずるなどの懸念がある。
また、樹脂固形物１００では、半製品１０５を仕上げるために、半製品１０５の周りをバージン材樹脂若しくは再生材樹脂などの外装部１０６で覆うことが必要であり、製造コストも嵩む。
【００２７】
（ｂ）において、実施例の開渠の蓋（樹脂固形物）２０は、破砕廃プラスチック１２を圧縮する工程と、圧縮した破砕廃プラスチックを整粒して整粒ペレットにする整粒する工程を設けることで、全体にわたり密度の均一な開渠の蓋２０を得ることができる。この結果、開渠の蓋２０の耐久性の向上を図ることができる。
また、表面状態も凹凸の少ない平滑な面を得ることができるので、仕上げのための処理を省くことができる。この結果、開渠の蓋２０のコストの低減を図ることができる。
【００２８】
図８は本発明に係る第２実施の形態の樹脂固形物の製造方法を示すフロー図である。なお、ＳＴ××はステップ番号を示す。
ＳＴ１１：（破砕工程）廃プラスチックを破砕することで破砕廃プラスチックにする。
【００２９】
ＳＴ１２：（圧縮工程）破砕廃プラスチックを圧縮する。破砕廃プラスチックが軟化するまで圧縮する。破砕廃プラスチックは高圧で圧縮すると、摩擦熱が発生し、この熱で軟化し粘性がでる。なお、破砕廃プラスチックの軟化を促進するために加熱をしてもよい。
【００３０】
ＳＴ１３：（整粒工程）圧縮した破砕廃プラスチックを整粒して一辺若しくは径が８〜５０ｍｍの整粒ペレットにする。整粒ペレットの大きさが８ｍｍ未満にするとコストが嵩む。整粒ペレットの大きさが５０ｍｍを超えると、成形したときに樹脂固形物の密度の低下を招く。の大きさを一辺若しくは径が８〜５０ｍｍのピースにすることで、樹脂固形物の製造コストと製造品質とのバランスをとる。
また、後述するように、ダイ孔を通じて圧縮した破砕廃プラスチックを押出すときに、ダイ孔の押出し抵抗により大きな摩擦熱が発生する。
【００３１】
ＳＴ１４：（成形工程としての押出し成形工程）整粒ペレットを押出し機に投入し、この押出し機で所定の形状の樹脂固形物を押出す。
【００３２】
図９は本発明に係る第２実施の形態の樹脂固形物の製造に好適な成形機の原理図であり、成形機としての押出し成形機（押出し機）６０は、整粒ペレット１４を投入するホッパ６１と、このホッパ６１から整粒ペレット１４を送り込むことで整粒ペレット１４を溶融させるシリンダ６２と、シリンダ６２を加熱するヒータ６３・・・と、シリンダ６２の中で回転させることで溶融樹脂６９を送るスクリュー６４と、このスクリュー６４をベルト６５，６５を介して回転させるモータ６６と、これらのモータ６６及びシリンダ６２を支持する架台６７と、シリンダ６２の先端に取付ける押出し型６８と、からなる。
【００３３】
なお、押出し型６８は、製造する部材の押出し断面形状により、選択的に取り替える部材である。また、７１はスクリュー６４側に取付けたプーリ、７２はモータ６６側に取付けたプーリ、７３はスクリュー６４を回転自在に支持するスクリュー軸受部、７４は異物の除去及び混練の助成を図るブレーカプレートを示す。
【００３４】
本発明に係る樹脂固形物の製造方法は、成形機に圧縮成形機５０（図６参照）若しくは押出し成形機６０を使用するものであると言える。
例えば、圧縮成形機はブロック状の樹脂固形物を得るのに最適な成形機であり、押出し成形機は棒状の樹脂固形物や板状の樹脂固形物を得るのに最適な成形機であることが知られる。
従って、成形機に圧縮成形機５０（図６参照）若しくは押出し成形機６０を用いることで、多種類の形状の樹脂固形物を得ることができる。
【００３５】
図１０（ａ）〜（ｄ）は本発明に係る第２実施の形態の樹脂固形物の製造方法を用いて製造するのに好適な樹脂固形物の斜視図であり、樹脂固形物の具体例を示す。
（ａ）において、樹脂固形物としての棒状部材７５を示し、棒状部材７５は長尺の丸棒であり、（ｂ）において、樹脂固形物としての棒状部材７６を示し、棒状部材７６は断面視角形を呈した長尺の部材であり、（ｃ）において、樹脂固形物としての棒状部材７７を示し、棒状部材７７は断面視矩形を呈した長尺の部材であり、（ｄ）において、樹脂固形物としての棒状部材７８を示し、棒状部材７８は断面視コ字形状の長手の部材である。
棒状部材７５〜７８を、本発明の樹脂固形物の製造方法にて製造することで、全体にわたり密度の均一な部材を得ることができる。
【００３６】
図１１は本発明に係る第３実施の形態の樹脂固形物の製造方法を示すフロー図である。なお、ＳＴ××はステップ番号を示す。
ＳＴ２１：（破砕工程）廃プラスチックを破砕することで破砕廃プラスチックにする。
【００３７】
ＳＴ２２：（圧縮工程）破砕廃プラスチックを圧縮する。破砕廃プラスチックが軟化するまで圧縮する。破砕廃プラスチックは高圧で圧縮すると、摩擦熱が発生し、この熱で軟化し粘性がでる。なお、破砕廃プラスチックの軟化を促進するために加熱をしてもよい。
【００３８】
ＳＴ２３：（整粒工程）圧縮した破砕廃プラスチックを整粒して一辺若しくは径が８〜５０ｍｍの整粒ペレットにする。整粒ペレットの大きさが８ｍｍ未満にするとコストが嵩む。整粒ペレットの大きさが５０ｍｍを超えると、成形したときに樹脂固形物の密度の低下を招く。の大きさを一辺若しくは径が８〜５０ｍｍのピースにすることで、樹脂固形物の製造コストと製造品質とのバランスをとる。
また、後述するように、ダイ孔を通じて圧縮した破砕廃プラスチックを押出すときに、ダイ孔の押出し抵抗により大きな摩擦熱が発生する。
【００３９】
ＳＴ２４：（押出し工程）整粒ペレットを押出し成形機に投入し、この押出し成形機で所定の形状の樹脂半固形物を押出す。
ＳＴ２５：（ロール工程）押出した樹脂半固形物をロールユニットで冷却しつつ板状の樹脂固形物に圧延する。
ＳＴ２６：（カット工程）板状の樹脂固形物を所定の寸法に裁断する。
ＳＴ２７：（プレス工程）所定の寸法に裁断した板状の樹脂固形物をさらにプレスにて所定形状にすることで、板状部材としてのリサイクルボードを完成する。
すなわち、押出し工程、ロール工程、カット工程及びプレス工程から、成形工程としての成形工程を構成する。
【００４０】
図１２は本発明に係る第３実施の形態の樹脂固形物の製造に好適な押出し成形ラインの原理図であり、（ａ）は押出し成形ライン８０を構成する加工機を示し、（ｂ）において、上記加工機で加工する樹脂固形物の半製品の形状を示す。
（ａ）において、押出し成形ライン８０は、（ｂ）に示す押出し樹脂８１を押出す押出し成形機（押出し機）６０と、この押出し成形機６０から押出した押出し樹脂８１を冷却しつつ圧延することで（ｂ）に示す板状の圧延樹脂８２にするロールユニット８５と、このロールユニット８５で形成した圧延樹脂８２を所定の長さに切断する切断機８６と、この切断機８６で所定の長さに切断した切断樹脂８３・・・を所定形状にプレスすることで樹脂固形物としての板状部材８４・・・にする冷間プレス８７と、からなる。
すなわち、押出し成形ライン８０は、板状部材８４を成形するのに好適なラインと言える。板状部材８４の外形は任意な形状にすることができる。
【００４１】
ロールユニット８５は、フレーム８９に複数の下ローラ９１・・・を配置し、これらの下ローラ９１・・・にそれぞれに上ローラ９２・・・を間隔調整可能に取付けたものであり、切断機８６は、ベース台９３に設けた下刃９４と、この下刃９４に上下移動可能に上刃９５を取付けたものである。
冷間プレス８７は、ベッド９６側に取付けるダイ９７と、フレーム９８側に取付けたパンチ９９とを備える。
【００４２】
本発明に係る樹脂固形物の製造方法は、樹脂固形物が開渠の蓋２０（図２参照）、路面材２１、棒状部材７５〜７８（図１１参照）若しくは板状部材８４を製造するのに好適な製造方法であると言える。
開渠の蓋２０、路面材２１、棒状部材７５〜７８若しくは板状部材８４は、密度が均一であり、表面状態も凹凸が少ないことが好ましい。従って、樹脂固形物を、具体的には開渠の蓋２０、路面材２１、棒状部材７５〜７８若しくは板状部材８４とすることで、耐久性が高く、安価な製品を提供することができる。
【００４３】
尚、実施の形態では図２（ａ）〜（ｅ）に示すように、樹脂固形物の具体例として開渠の蓋２０、路面材２１、敷石２２、段差スロープ２３及びブロック２４を示したが、これに限るものではなく、その他、土木建築材料又は園芸用品などに用いてもよい。
また、実施の形態では図１に示すように、整粒ペレット１４の製造を圧縮・整粒装置４０（図４参照）で圧縮工程と整粒工程とを同時に行なうようにしたが、これに限るものではなく、圧縮装置及び整粒装置を別々に設け、圧縮工程と整粒工程とに分けて実施するものであってもよい。
【００４４】
実施の形態では図１３に示すように、プレス工程に冷間プレス８７を用いたが、これに限るものではなく、熱間プレスを用いるものであってもよい。
【００４５】
【発明の効果】
本発明は上記構成により次の効果を発揮する。
請求項１では、破砕廃プラスチックを圧縮装置で圧縮する工程と、圧縮した破砕廃プラスチックを整粒装置で整粒して整粒ペレットにする整粒する工程と、を備えたので、全体にわたり密度の均一な樹脂固形物を得ることができる。この結果、樹脂固形物の耐久性の向上を図ることができる。
また、表面状態も凹凸の少ない平滑な面を得ることができるので、仕上げのための処理を省くことができる。この結果、樹脂固形物のコストの低減を図ることができる。
【００４６】
例えば、圧縮成形機はブロック状の樹脂固形物を得るのに最適な成形機であり、押出し成形機は棒状の樹脂固形物や板状の樹脂固形物を得るのに最適な成形機であることが知られる。
すなわち、請求項２では、成形機に圧縮成形機若しくは押出し成形機を用いたので、多種類の形状の樹脂固形物を得ることができる。
【００４７】
請求項３では、樹脂固形物を、具体的には開渠の蓋、路面材、棒状部材若しくは板状部材にした。
開渠の蓋、路面材、棒状部材若しくは板状部材は、密度が均一であり、表面状態も凹凸が少ないことが好ましい。従って、樹脂固形物を、具体的には開渠の蓋、棒状部材若しくは板状部材とすることで、耐久性が高く、安価な製品を提供することができる。
【図面の簡単な説明】
【図１】本発明に係る樹脂固形物の製造方法を示すフロー図
【図２】本発明に係る樹脂固形物の製造方法を用いて製造するのに好適な樹脂固形物の斜視図
【図３】本発明に係る樹脂固形物の製造に好適な破砕装置の原理図
【図４】本発明に係る樹脂固形物の製造に好適な圧縮・整粒装置の原理図
【図５】本発明に係る樹脂固形物の製造に好適な圧縮・整粒装置の作用原理図
【図６】本発明に係る樹脂固形物の製造に好適な成形装置
【図７】本発明に係る固形燃料の作用説明図
【図８】本発明に係る第２実施の形態の樹脂固形物の製造方法を示すフロー図
【図９】本発明に係る第２実施の形態の樹脂固形物の製造に好適な成形機の原理図
【図１０】本発明に係る第２実施の形態の樹脂固形物の製造方法を用いて製造するのに好適な樹脂固形物の斜視図
【図１１】本発明に係る第３実施の形態の樹脂固形物の製造方法を示すフロー図
【図１２】本発明に係る第３実施の形態の樹脂固形物の製造に好適な押出し成形ラインの原理図
【図１３】従来の樹脂固形物の製造方法を示すフロー図
【符号の説明】
１１…廃プラスチック、１２…破砕廃プラスチック、１４…整粒ペレット、２０…樹脂固形物（開渠の蓋）、２１…樹脂固形物（路面材）、２２…樹脂固形物（敷石）、２３…樹脂固形物（段差スロープ）、２４…樹脂固形物（ブロック材）、３０…破砕装置、４０…圧縮装置及び整粒装置（圧縮・整粒装置）、５０…成形機、（圧縮成形機）、６０…成形機（押出し成形機）、７５〜７８…樹脂固形物（棒状部材）、８４…樹脂固形物（板状部材）。
【図１】
2004042612.tif 000003
【図２】
2004042612.tif 000004
【図３】
2004042612.tif 000005
【図４】
2004042612.tif 000006
【図５】
2004042612.tif 000007
【図６】
2004042612.tif 000008
【図７】
2004042612.tif 000009
【図８】
2004042612.tif 000010
【図９】
2004042612.tif 000011
【図１０】
2004042612.tif 000012
【図１１】
2004042612.tif 000013
【図１２】
2004042612.tif 000014
【図１３】
2004042612.tif 000015